(57)【特許請求の範囲】
【請求項１】
容量調整可能な手動ピペットであって、当該手動ピペットは、
ユーザーの手に保持されるように適合される、上部ピペット本体、
上下に往復動するために上部ピペット本体に取り付けられたプランジャシャフトアセンブリであって、上部ピペット本体とプランジャ位置決めボスの上方に延びるボタンを有するプランジャシャフト、およびボタンに接続され、ボタンから下方に延び、そしてボタン、プランジャシャフトとプランジャ位置決めボスとを一体的に動作するピストンホルダを含む、プランジャシャフトアセンブリ、
ピペットピストンであって、プランジャボタンおよびピストンホルダと一体的に動作するために、ピストンホルダの下端に動作可能に結合された、ピペットピストン、ならびに、
プランジャシャフトおよびピペットピストンの全ストローク長さを設定するために、プランジャ位置決めボスの後退を停止させる容量調整機構であって、前記容量調整機構が、プランジャシャフトアセンブリを取り囲む一連の回転可能な３つのステップシリンダを含み、当該３つのステップシリンダの各々が一定の高さを有するステップを備えたステップ面を含み、さらに各ステップシリンダのステップの当該高さが他のステップシリンダ上のステップの高さと異なり、ステップシリンダが、各々のステップ面のステップの位置と、プランジャシャフトの全ストローク長さを設定するために、互いに対して独立して手動で回転可能である、容量調整機構、
を含むことを特徴とする、容量調整可能な手動ピペット。
【請求項２】
３つのステップシリンダが、上部ステップシリンダ、中間ステップシリンダおよび下部ステップシリンダを含み、各ステップシリンダが各々のシリンダの上部または下部の一方の周りに円周方向に配置された複数のステップを有する上部および下部を含み、その上部とその下部の他方が平坦であり、および前記手動ピペットが、上部または下部の一方に中間プラットフォームおよび上部または下部の他方に平面を有する上部および下部を有する、上下方向に位置換え可能な非回転シリンダをさらに含み、前記非回転シリンダが、中間ステップシリンダ上の選択されたステップが上下方向に位置換え可能な非回転シリンダ上の中間プラットフォームをかみ合わせるように、前記２つのステップシリンダの間に配置される、請求項１に記載の手動ピペット。
【請求項３】
前記上部ステップシリンダがその上部の周りに円周方向に配置されたステップを含み、その下部が平坦であり、前記中間ステップシリンダがその下部の周りに円周方向に配置されたステップを含み、その上部が平坦であり、前記下部ステップシリンダがその下部の周りに円周方向に配置されたステップを含み、その上部が平坦であり、ならびに、前記非回転シリンダがその上部に中間プラットフォームを含み、その下部が平坦である、請求項２に記載の手動ピペット。
【請求項４】
上部ピペット本体に取り付けられた上部静止スリーブをさらに含み、上部ステップシリンダの選択されたステップが上部静止スリーブのステップ接触表面とかみ合うように、前記上部静止スリーブがステップ接触面を備える下方突出ボスを含む、請求項２に記載の手動ピペット。
【請求項５】
前記上部ステップシリンダのステップの高さが中間ステップシリンダのステップの高さ未満であり、および、前記中間ステップシリンダのステップの高さが下部ステップシリンダのステップの高さ未満である、請求項２に記載の手動ピペット。
【請求項６】
前記ステップシリンダの１つが、少なくとも２つのステップを含み、他の２つのステップシリンダが、少なくとも１０のステップを含む、請求項５に記載の手動ピペット。
【請求項７】
各ステップシリンダが１０のステップを含む、請求項６に記載の手動ピペット。
【請求項８】
全てのシリンダに同時に負荷をかけるピストンリターンスプリング、および、シリンダのピストンリターンスプリングの負荷に打ち勝つ目的でプランジャシャフトが押し下げられたときに、非回転シリンダと粗動ステップシリンダを中間ステップシリンダから遠ざけるように付勢する軽量スプリングをさらに含む、請求項２に記載の手動ピペット。
【請求項９】
３つのダイヤルであって、各ダイヤルがそれぞれのステップシリンダに結合されたダイヤル本体を有する３つのダイヤルと、各ダイヤルの外側表面へのアクセスをユーザーに提供するために上部ピペット本体のハウジングを通る少なくとも１つの開口部とをさらに含み、それにより、ユーザーが、プランジャ位置決めボスと、３つのステップシリンダの最下部のステップの上下位置を位置合わせするように調整するため、およびプランジャシャフトとピペットピストンの全ストローク長さを設定するために、各ダイヤルおよび各ステップシリンダを回転することができる、請求項１に記載の手動ピペット。
【請求項１０】
各ダイヤルの他方の表面へのアクセスを提供するためにハウジングを通り、ハウジングの反対面に配置される少なくとももう１つの開口部をさらに含み、それにより、ユーザーが親指と他の指を用いて各ダイヤルおよびステップシリンダを回転させることができる、請求項９に記載の手動ピペット。
【請求項１１】
各ダイヤル本体とステップシリンダとの間に中間継手をさらに含み、当該ダイヤルがピペットに対して上下方向に静止したままであり、各中間継手がダイヤルと共に回転するようにダイヤル本体の各々に固定されているが、互いに対して長手方向に滑り、そして各々のダイヤルを回転することでボスが各々のステップシリンダを回転させ、かつ、ボスがスロット内で長手方向に滑ることができるように、各ステップシリンダが各々の中間継手から内側へ延びるボスを受ける長手方向のスロットを含む、請求項９に記載の手動ピペット。
【請求項１２】
前記各ダイヤルは、ステップシリンダの各々のステップの回転位置に対応する目盛りを含み、前記目盛りをピペットハウジングの窓を通して見ることができる、請求項９に記載の手動ピペット。
【請求項１３】
ステップシリンダ、およびダイヤルを保持し、ピペットハウジングに固定されたシャーシをさらに含む、請求項９に記載の手動ピペット。
【請求項１４】
前記手動ピペットが、下部に、メインピストン駆動軸、ピストン駆動バー、および複数のピペットピストンを含むマルチチャネルピペットである、請求項１に記載の手動ピペット。
【請求項１５】
前記上下方向に位置換え可能な非回転シリンダが、ピストンストロークを調整する目的で１つ以上のステップシリンダが回転される場合に上下方向に位置換え可能な非回転シリンダが回転しないように、プランジャシャフトに固定される、請求項２に記載の手動ピペット。
【発明の詳細な説明】
【技術分野】
【０００１】
本発明は、親指で動作させるプランジャを有する手動ピペットにおける容量調整機構に関する。
【背景技術】
【０００２】
従来の大部分の手動ピペットは、ハンドルの上部にプランジャボタンを有する。プランジャボタンは、ピペットピストンを順に下げるプランジャシャフトを手動で下げるために、ユーザーの親指で押し下げられる。使い捨てピペットチップは、ピペットの下部に付けられた取付け部分に取り付けられる。ピストンが後方へ戻る際に、ピペットピストンの周囲のシールが使い捨てピペットチップ内に吸引力を生じさせる。使い捨てピペットチップ内へ液体を吸引するために、チップの末端は液体に沈められ、そしてユーザーはプランジャを解放する。ピストンリターンスプリングは、ピストンを後退させ、それによってチップ内へ液体を吸引するためにピペットチップ内に吸引力を生じさせる。その後、ユーザーは吐出位置にピペットを移動させて、ピペットチップから液体を吐出するために、スプリング力に逆らってプランジャを再び押し下げる。大部分の手動ピペットは、チップから液体を吐出する際に、残留液体を吹き出すためにプランジャが完全に押し下げられる自然な範囲を通り越して下方へ動作することを可能にする、吹き出しスプリング機構も含んでいる。
【発明の概要】
【０００３】
本発明は、手動の容量調整機構に微調整能を提供する手動ピペットに関する。より具体的には、本発明は、ピストンストロークの全長を調整するために３つのステップシリンダを使用する。第一シリンダは大きなステップ、中間シリンダは中間サイズのステップ、そして第三シリンダは容量の微調整のために小さなステップを提供する。非回転シリンダは、中間シリンダのステップと他のステップシリンダの１つのステップとの間を接続する。手動ダイヤルは、ストローク長さの設定を調整する目的で、ステップシリンダを回転させるために使用される。目盛りが、各々のシリンダのためにダイヤル本体上に存在する。細かい、中間のダイヤルの目盛りは、望ましく０〜９または０．０〜０．９であるが、他の目盛りも使用され得る。ダイヤルは、ユーザーの片手の親指および他の指で回すことができるように、ピペット本体の両面から望ましいようにアクセス可能である。ダイヤルは、ピペットの本体に対して上下方向に動作しない。中間継手は、各々のステップシリンダにダイヤル本体の内部を結合するために使用される。１つの実施形態では、手動ピペットの動作を増強するために、ピストンリターンスプリングの負荷が取り除かれる場合、軽量スプリングが、中間のステップシリンダから非回転シリンダおよび粗動ステップシリンダを遠ざけるように付勢する。
【図面の簡単な説明】
【０００４】
【図１】本発明の典型的な実施形態に従って構成された手動ピペットの斜視図である。
【図２】図１に示される手動ピペットの側面図である。
【図３】図１に示されるピペットの正面図である。
【図４】図１に示されるピペットの背面図であり、押し下げられているプランジャボタンを示している。
【図５】図１に示される手動ピペットの内部構成要素の詳細図であり、典型的な容量調整機構の様々な態様を例証している。
【図６】アセンブリの残りの部分から離されて分解された支持シャーシを示す、図５と同様の図である。
【図７】図５に示される容量調整機構の構成要素の分解図である。
【図８】内部構成部品を示すためにフロントハウジングを取り外した、図３と同様の図である。
【図９】あるレベルに押し下げられているプランジャボタンを有するピペットの様々な内部構成要素の位置を例証する、図８と同様の図である。
【図１０】図９とは異なるレベルに押し下げられているプランジャボタンを有するピペットの様々な内部構成要素の位置を例証する、図８と同様の図である。
【図１１】図８の線１１−１１に沿った断面図である。
【図１２】図１１に示される図面に対し直行する面で見た断面図である。
【図１３】図１１の線１３−１３に沿った断面図である。
【図１４】別の典型的な容量調整機構の構成要素を示す、図７と同様の分解図である。
【図１５】最大容量設定に位置決めされた構成部品を表す、図１４に示される組み立てられた容量調整機構の断面図である。
【図１６】容量調整位置に位置決めされた構成部品を表す、図１４に示される組み立てられた容量調整機構の別の断面図である。
【発明を実施するための形態】
【０００５】
図１−図１３は、本発明の典型的な実施形態に従って構成された手動ピペット（１０）を例証する。特に図１を参照すると、手動ピペット（１０）は、上部ハンドル部分（１２）と、上部ハンドル部分（１２）から取り外し可能な下部（１４）とを含む。下部（１４）は、その遠位端にチップ取付け部分（１６）を含む。使い捨てピペットチップは、図示されないが、液体移動のためのピペットチップの中へ液体を吸引するために、チップ取付け部分（１６）に取り付けられる。本発明の態様は、注射器ベースの手動ピペットのような、使い捨てチップを使用できない手動ピペットでも実施され得る。使用時には、上部ハンドル部分（１２）が、ユーザーの手によって把持される。ユーザーは、プランジャシャフト（１８）、およびスプリング力に下方へ逆らうプランジャシャフト（１８）に結合されたピストンホルダ（２２）（図８−図１２）を動作させるために、親指でプランジャボタン（２０）を押し下げ、そして、プランジャシャフト（１８）およびピストンホルダ（２２）を後退させるためにプランジャボタン（２０）を解放して、取付け部分（１６）に取り付けられたピペットチップ内に液体を吸引する。液体は、プランジャボタン（２０）を押し下げることによってピペットチップから吐出される。プランジャシャフト（１８）とピストンホルダ（２２）は、常に一体的に動作する。図６は、プランジャボタン（２０）が取り外され、プランジャシャフト（１８）の上部のネジ部（２３）が露出した状態を示す。チップイジェクトボタン（２８）も、容量調整機構（３０）と同様に、ハンドル上に配置される。
【０００６】
ピペット（１０）の全体的な動作を説明するために図８−図１２を簡単に参照すると、ピペット（１０）は、ピストンホルダ（２２）、ピストンリターンスプリング（２６）、スプリング保持台（３２）、および磁石（３４）を含む。磁石（３４）は、例えば接着剤を用いてピストンホルダ（２２）の下端に固定される。磁石（３４）は、ピストン（３６）をピストンホルダ（２２）に結合する。ピストンホルダ（２２）は、スプリング保持台（３２）を通過して摺動することができる。ピストン（３６）は、取付け部分（１６）に取り付けられた使い捨てチップ内に液体を吸引して吐出するために、密封されたシリンダ（３８）（ＯリングおよびＰＴＦＥシール（４０）、図１１）内を往復動する。
【０００７】
プランジャシャフト（１８）は、容量調整機構（３０）と物理的に相互作用するプランジャ位置決めボス（４３）（図７）を含み、それらは、ピストンホルダ（２２）およびピストン（３６）の動作の全体的な吸引範囲を設定するために共に連携する。プランジャシャフト（１８）のボス（４３）は、容量調整のための隙間を提供する上部ハンドル部分（１２）内の領域に配置される。ユーザーがプランジャボタン（２０）を下方に押し下げると、プランジャシャフト（１８）が下方に押し下げられ、スプリング（２６）が圧縮される。プランジャボタン（２０）は、一度、十分な吸引位置まで完全に押し下げられると、ユーザーが、使い捨てピペットチップの遠位端を液体に入れ、プランジャボタン（２０）を解放する。ユーザーがプランジャボタン（２０）を解放すると、ピストンリターンスプリング（２６）がピストンホルダ（２２）を上方に押し、磁石（３４）を介してピストン（３６）を上方に引っ張る。ピストン（３６）の上方運動が、液体をチップ内に吸引するためにチップ取付け部分（１６）に取り付けられた使い捨てピペットチップ内に吸引力を生じさせる。スプリング力は、ピストン（３６）に対するＯリング（７０）／ＰＴＦＥシール（４０）に関する摩擦力に打ち勝つために、通常、製造業者によって選択され、また他の関連する摩擦力に対しても同様である。
【０００８】
チップ取付け部分（１６）に取り付けられた使い捨てピペットチップから液体を吐出する目的で、ユーザーは、後退したピストン（３６）によって引き起こされた吸引力を解放するために、プランジャボタン（２０）を下方に押す。最後のサンプルを吐出する場合に、ピペットチップ内の残留液体を吹き出すために、ユーザーは、当業界で知られているように、その通常のストロークを超えてプランジャボタン（２０）を押し下げる（図１０参照）。プランジャボタン（２０）が上部ハンドル部分（１２）の上部の窪み（２５）内に押し下げられると、プランジャボタン（２０）は吹き出しスリーブ（２４）とかみ合う。吹き出しスリーブ（２４）は、スプリングによって通常上向きに付勢されたストッパーを含む。しかし、ユーザーが吹き出しスリーブ（２４）および吹き出しスプリングの抵抗に逆らってプランジャボタン（２０）を下方に押し続けると、ピストンホルダ（２２）およびピストン（３６）は、吹き出しを容易にするために通常のストロークを超えて下方に押される。
【０００９】
ここで特に図１−図４を参照すると、容量調整機構（３０）は、３つのダイヤル（４２）、（４４）および（４６）を含む。ピペットの容量を調整するために、ユーザーがプランジャボタン（２０）を押し下げ、容量設定を変更するために、必要に応じてダイヤル（４２）、（４４）および（４６）を手動で回す。次の図面の詳細で説明されるように、ダイヤル（４２）、（４４）および（４６）は、ピストンホルダ（２２）およびピストン（３６）の最大ストローク長さを調整するために、ステップシリンダを回転させる。図面に示される実施形態では、ダイヤル（４２）は、大きなステップを有するステップシリンダに対応し、粗動の容量調整機構のために使用される。一方、ダイヤル（４６）は、小さなステップでステップシリンダを回し、容量の微調整に使用される。ダイヤル（４４）は、中間のサイズのステップを有するステップシリンダを回転させ、中間の容量調整に対応する。図１に示されるように、ダイヤル（４２）、（４４）および（４６）は、ユーザーがダイヤルを回す目的で手動によりアクセスできるよう、ダイヤルパネル（４８）の開口部を通って延びる。図２は、図１に示されていないピペット（１０）の側面を示している。ダイヤル（４２）、（４４）および（４６）は、ピペット（１０）のこの側面上のダイヤルパネル（４８）における開口部も同様に通って延びる。ピペット両面での手動アクセスを目的としたダイヤル（４２）、（４４）および（４６）の露出は、ユーザーの親指および他の指を用いてダイヤルを容易に回転させて位置換えすることを可能にする。数値目盛り（５２）、（５４）および（５６）は、ダイヤル（４２）、（４４）、および（４６）の各々に関連付けられている。目盛り窓（５０）は、ユーザーがダイヤル（４２）、（４４）および（４６）の各々に対する設定（５２）、（５４）、および（５６）を見ることを可能にする。図３は、１００μｌ（すなわち、１００．０μｌ）に設定されたピペット（１０）を示す。図４は、ピペット（１０）の容量を調整するために、ダイヤル（４２）、（４４）および（４６）を操作することを可能にするのに必要な押し下げられたプランジャボタン（２０）を示している。図４において、ピペット（１０）の容量は１１．１μｌに設定されている。
【００１０】
容量調整機構（３０）の主要構成要素が、図５−図７に示される。最初に図７を参照すると、ダイヤル（４２）および数値目盛り（５２）は、整数ダイヤル本体（６２）の一部である。同様に、ダイヤル（４４）および数値目盛り（５４）は整数本体（６４）の一部であり、ダイヤル（４６）および数値目盛り（５６）は第三ダイヤル本体（６６）の一部である。各ダイヤル本体（６２）、（６４）および（６６）は、特殊な支持リム（６３）、（６５）および（６７）の各々を有するほぼ円筒状の内面を含む。これらの支持リム（６３）、（６５）および（６７）は、結合部材（６８Ａ）と（６８Ｂ）、（７０Ａ）と（７０Ｂ）、および（７２Ａ）と（７２Ｂ）にかみ合うように設計されている。結合部材（６８Ａ）と（６８Ｂ）、（７０Ａ）と（７０Ｂ）、および（７２Ａ）と（７２Ｂ）は、ステップシリンダ（７４）、（７６）および（７８）の各々の周りに取り付けられている。各ステップシリンダ（７４）、（７６）および（７８）の外側表面は、各々の結合部材（６８Ａ）、（７０Ａ）および（７２Ａ）の一方の側面から内側に延びる内方突出ボス（８０）、（８２）および（８４）を受ける各々のスロット（７５）、（７７）および（７９）を有する。内方突出ボス（８０）、（８２）および（８４）は、関係するダイヤル（４２）、（４４）および（４６）が回転されたときに各々のステップシリンダを回転させるために、シリンダ（７４）、（７６）および（７８）上の各々のスロット（７５）、（７７）および（７９）とかみ合うとともに、同時に、ボス（８０）、（８２）および（８４）が、各ステップシリンダ（７４）、（７６）および（７８）の外側表面上のスロット（７５）、（７７）または（７９）内で長手方向にまたは上下方向に動作可能とする。クリップ（８６）、（８８）および（９０）は、設定が正しく位置合わせされているときに、ユーザーにフィードバックを提供するために、各々の結合部材（６８Ａ）／（６８Ｂ）、（７０Ａ）／（７０Ｂ）および（７２Ａ）／（７２Ｂ）内の小さな凹部（６８Ｒ）、（７０Ｒ）および（７２Ｒ）と相互作用する内方突出部（８６Ａ）、（８８Ａ）および（９０Ａ）を含む。凹部勘合は、乗り越えるためにある程度の力を必要とし、したがって、設定の安定化効果をもたらし、偶発的な変動を防止する。
【００１１】
ステップシリンダ（７４）は、その上部表面に平面（９２）を含み、その下部表面にステップ面（９４）を含む。同様に、中間ステップシリンダ（７６）は、その上部表面に平面（９６）を含み、その下部表面にステップ面（９８）を含む。一方、微調整シリンダ（７８）は、その下部表面に平面壁（１００）を有し、その上部表面にステップ面（１０２）を有する。図５および図６を参照すると、上部静止スリーブ（１０４）がピペットに取り付けられ、下向きのステップ接触面（１０８）を有する垂下ボス（１０６）を有する。ダイヤル（４６）は、上部静止スリーブ（１０４）の垂下ボス（１０６）上の接触面（１０８）と、微調整ステップシリンダ（７８）上の選択された上向きのステップ（１０２）とを位置合わせするために回転される。
【００１２】
ダイヤル（４２）は、プランジャシャフト（１８）のプランジャ位置決めボス（４３）の垂直部分と、粗動ステップシリンダ（７４）の適宜のステップ（９４）を位置合わせするために回転される。プランジャ位置決めボス（４３）と上方向に位置合わせされている各々のステップ（９４）の下部表面の位置は、プランジャシャフト（１８）およびピストンホルダ（２２）の全ストロークを規定する。本発明に従って、粗動ステップシリンダ（７４）は、他のステップシリンダ（７６）および（７８）の回転位置に応じて上下方向に動作する。言い換えれば、ステップシリンダ（７６）および（７８）の調整は、粗動ステップシリンダ（７４）の上部表面（９２）の上下方向の相対的位置を調整する。
【００１３】
粗動ステップシリンダおよび微調整ステップシリンダと同様に、ダイヤル（４４）を回すことにより、中間ステップシリンダ（７６）が回転する。中間ステップシリンダ（７６）の上部平面（９６）は、微調整ステップシリンダ（７８）の下部平面（１００）にかみ合う。したがって、微調整ステップシリンダ（７８）の回転位置に応じて、中間ステップシリンダ（７６）の上部表面（９６）の上下方向の相対的位置が変化するだろう。中間シリンダ（７６）の下部ステップ面（９８）と、粗動シリンダ（７４）の上部平面（９２）との連携は、上下方向に位置換え可能な非回転シリンダ（１１０）の使用を必要とする。非回転シリンダ（１１０）は、粗動ステップシリンダ（７４）の上部平面（９２）と接するために平坦な下部表面（１１６）を有する。非回転シリンダ（１１０）は、上方に面する中間プラットフォーム（１１２）も含む。望ましくは、プラットフォーム（１１２）は、非回転シリンダ（１１０）が回転することを防止するために、プランジャシャフト（１８）の長手方向の溝（１１４）に固定される（他の手段を使用してもその回転を防止することができる）。非回転シリンダ（１１０）は、上下方向に動作することができるが、中間ステップシリンダ（７６）の下部表面上の選択されたステップ（９８）と接する一定の角度方向の中間プラットフォーム（１１２）を提供することもできる。非回転シリンダ（１１０）の上部表面（１１３）は、好ましくは図７のステップ状になされることが示されているが、しかし、中間プラットフォーム（１１２）以外のステップは、本発明を実行するために必要とは限らない。ステップ（１１３）の目的は、中間ステップシリンダ（７６）の全ての回転位置で適切な隙間を提供することである。ステップ構成は、非回転シリンダ（１１０）に、より多くの容量および強度を提供するために使用される。
【００１４】
図６は、容量調整機構の周りに取り付けられたシャーシ（１１６）を示している。図６は、ピペット下部の取付け部（１１８）も示す。
【００１５】
図８を参照すると、ピペット（１０）は、上方に完全に伸びきったプランジャシャフト（１８）、およびスプリング（２６）の付勢の下で粗動ステップシリンダ（７４）の１つのステップに対して上方に押し上げられているプランジャ位置決めボス（４３）が示されている。非回転シリンダ（１１０）とその中間プラットフォーム（１１２）は、プランジャ位置決めボス（４３）と位置合わせされており、そして中間ステップシリンダ（７６）と微調整ステップシリンダ（７４）は、非回転シリンダ（１１０）および粗動シリンダ（７４）の上下方向の位置を適切に配置するために、選択された位置方向に回転される。図９は、粗動ステップシリンダ（７４）がピストンストローク長さ（および吸引容量）を減少させるために回転された、図８と同様の図を示す。図８では、粗動ステップシリンダ（７４）のストローク長さは最大に設定されており、図９では、粗動ステップシリンダ（７４）のストローク長さは最小に設定されている。図１０において、ステップシリンダ（７４）、（７６）および（７８）の設定は、図１０が、ピペット（１０）の下部のシリンダ内にピストンを下げることを目的に、プランジャシャフト（１８）およびピストンホルダ（２２）を下げるために押し下げられているプランジャボタン（１８）を示していることを除いて、図９と同じである。図１０に示される位置に押し下げられているプランジャボタン（２０）とともに、粗動シリンダ（７４）および非回転シリンダ（１１０）は、位置決めボス（４３）に向かって上下方向の下向きに自由に動作することができる。容量調整機構（３０）のダイヤル（４２）、（４４）および（４６）は、プランジャボタン（２０）が図１０に示される位置に押し下げられるときに調整され得る。プランジャボタン（２０）およびプランジャシャフト（１８）がハンドル上の留め具をかみ合わせるために４分の１回転された場合に、プランジャシャフト（１８）は、図１０に示される押し下げられた位置にプランジャシャフト（１８）をロックするために使用される係止切り欠き（１９）を有する。プランジャシャフト（１８）は、ダイヤル（４２）、（４４）および（４６）を調整するために図１０の押し下げられた位置に保持する必要がある一方、ダイヤル（４２）、（４４）および（４６）を調整するために押し下げられた位置にプランジャシャフト（１８）をロックする必要はない。
【００１６】
図１１および図１２は、図８に示したものと同様のピペット容量設定を例証するが、他の構成要素を示すために他の部分を切り欠いた長手方向の断面図を例証する。図１３は、ピペット（１０）の上部を通る、図１１の線１３−１３に沿った断面図である。この図は、非回転シリンダ（１１０）の中間プラットフォーム（１１２）の周辺を示したものである。この図は、プランジャシャフト（１８）の長手方向のスロット（１１４）内、または窪み内に存在するプラットフォーム（１１２）を示す。この図は、粗動ステップシリンダ（７４）用の結合部材（６８Ａ）および（６８Ｂ）と、粗動ステップシリンダ用のダイヤル（４２）も示す。図１３は、ダイヤルパネル（４８）を介して露出される、片手の親指および他の指によってユーザーがアクセス可能なダイヤル（４２）を示す。加えて、図１３は、ユーザーが粗動ステップシリンダの設定（５２）を見ることを可能にする窓（５０）を示す。
【００１７】
図１４から図１６は、機構内の軽量スプリング（２００）が、容量調整の間に構成要素の滑らかで均一な解放を容易にする容量調整機構（２３０）の別の実施形態を示す。図１４から図１６は、同じ構成要素に対しては、図１から図１３と同じ参照符号を使用する。異なる参照符号は、新しい構成要素または修正された構成要素のために使用される。
【００１８】
図１４から図１６を参照すると、スプリング（２００）は、非回転シリンダ（２１０）と中間ステップシリンダ（２７６）との間に配置されている。これにより、プランジャシャフト（１８）が必要な位置まで押し下げられたときに、非回転シリンダ（２１０）と粗動ステップシリンダ（７４）が、調整するための自由位置へと移動されることが確実となる。自由位置は、無負荷の構成要素が干渉を受けずに３６０度回転するのに十分な隙間を持っていることを意味する。図５から図１３に示される実施形態では、この機能は重力に依存しており、スプリング（２００）を有する図１４から図１６の実施形態と同じようには、均一にまたは滑らかに動作しない可能性がある。
【００１９】
図１６は、容量設定を調整するための自由位置内の容量調整機構（２３０）を示しており、中間ステップシリンダ（２７６）および中間ステップシリンダ（２７６）用の結合部材（２７０Ａ）、（２７０Ｂ）から、非回転シリンダ（２１０）および粗動シリンダ（７４）を下方に付勢する軽量スプリング（２００）を示している。図１６に示されるプランジャシャフト（１８）の位置は、ピペットから液体を吐出するために押し下げられるときと同様のプランジャシャフト（１８）の位置である。
【００２０】
軽量スプリング（２００）を収容するために、各中間結合部材（２７０Ａ）、（２７０Ｂ）は、ランディングリブ（２７１Ａ）、（２７１Ｂ）を含む。ランディングリブ（２７１Ａ）、（２７１Ｂ）は、軽量スプリング（２００）の上端用の固定位置を提供する。中間ステップシリンダ（２７６）は、中間結合部材（２７０Ａ）、（２７０Ｂ）上のランディングリブ（２７１Ａ）、（２７１Ｂ）を収容するためのリリーフエリア（２７５）を有する。加えて、円周ランディングリブ（２１２）が、軽量スプリング（２００）の下端をかみ合わせるために非回転シリンダ（２１０）に備えられる。動作中、軽量スプリング（２００）のスプリング力は、プライマリピストンリターンスプリング（２６）のスプリング力に負け、これによって、ステップシリンダと非回転シリンダとが、ピストンストロークを設定するための図５から図１３に示される実施形態において説明したように、結果として相互作用し、積み重なることになる。しかし、ピストンリターンスプリング（２６）が負荷軽減される場合、軽量スプリング（２００）は、非回転シリンダ（２１０）および粗動シリンダ（７４）を下方に付勢する。
【００２１】
図面に示された本発明の実施形態は、シングルチャネルの手動ピペットを示しているが、当業者であれば、本発明をマルチチャネルの手動ピペットにも適用できる得ることを認識するであろう。
【図１】
0006349039.tif 000002
【図２】
0006349039.tif 000003
【図３】
0006349039.tif 000004
【図４】
0006349039.tif 000005
【図５】
0006349039.tif 000006
【図６】
0006349039.tif 000007
【図７】
0006349039.tif 000008
【図８】
0006349039.tif 000009
【図９】
0006349039.tif 000010
【図１０】
0006349039.tif 000011
【図１１】
0006349039.tif 000012
【図１２】
0006349039.tif 000013
【図１３】
0006349039.tif 000014
【図１４】
0006349039.tif 000015
【図１５】
0006349039.tif 000016
【図１６】
0006349039.tif 000017